(57)【特許請求の範囲】
【請求項１】
１つ以上の被試験装置から選択された被試験装置に対して、１つ以上の試験を行う装置試験システムであって、
制御装置と、
前記被試験装置が出力する信号を測定する１つ以上の測定装置と
を備え、
前記制御装置は、
前記被試験装置および前記測定装置の状態が正常であるか否かを判定する装置状態判定手段と、
前記装置状態判定手段が示す前記被試験装置および前記測定装置の状態を示す装置状態情報を記憶する装置状態情報記憶手段と、
前記被試験装置と前記測定装置との接続態様を示す接続情報を、前記被試験装置ごとに記憶する接続情報記憶手段と、
前記装置状態情報記憶手段に記憶された装置状態情報を参照して前記接続情報記憶手段に記憶された前記接続情報を更新する接続情報更新手段と、
前記選択された被試験装置に対応する前記接続情報を、前記接続情報記憶手段から取得して表示する接続情報表示手段と
を有する
装置試験システム。
【発明の詳細な説明】
【技術分野】
【０００１】
本発明は、試験の対象となる装置を試験する装置試験システムに関する。
【背景技術】
【０００２】
例えば、特許文献１は、モジュールの修理または交換後に、必要な試験のみを選択して再試験する測定試験装置を開示する。
【先行技術文献】
【特許文献】
【０００３】
【特許文献１】特開２００９−２５０６７
【発明の概要】
【発明が解決しようとする課題】
【０００４】
本発明は、上述のような背景からなされたものであり、試験に用いられる装置の状態および接続態様を表示することにより、効率的に試験を実施することができるよう改良された装置試験システムを提供することを目的とする。
【課題を解決するための手段】
【０００５】
上記目的を達成するために、本発明に係る装置試験システム（１）は、１つ以上の被試験装置から選択された被試験装置（１８）に対して、１つ以上の試験を行う装置試験システムであって、制御装置（１２）と、前記被試験装置が出力する信号を測定する１つ以上の測定装置（１４）とを備え、前記制御装置は、前記被試験装置および前記測定装置の状態が正常であるか否かを判定する装置状態判定手段（２２４）と、前記装置状態判定手段が示す前記被試験装置および前記測定装置の状態、および、前記被試験装置と前記測定装置との接続態様を示す接続情報を、前記被試験装置ごとに記憶する接続情報記憶手段（２２８）と、前記選択された被試験装置に対応する前記接続情報を、前記接続情報記憶手段から取得して、表示する接続情報表示手段（２３２）とを有する装置試験システム。
【発明の効果】
【０００６】
本発明に係る装置試験システムによれば、試験に用いられる装置の状態および接続態様を表示することにより、効率的に試験を実施することができる。
【図面の簡単な説明】
【０００７】
【図１】（Ａ）は、本発明に係る装置試験システムの構成を例示する図であり、（Ｂ）は、制御装置のハードウェア構成を例示する図である。
【図２】図１（Ａ），（Ｂ）に示した制御装置上で実行される制御装置プログラムの構成を例示する図である。
【図３】装置接続情報画面を例示する図である。
【図４】装置状態一覧画面を例示する図である。
【図５】図２に示した装置状態判定部の処理を示すフローチャートである。
【発明を実施するための形態】
【０００８】
［本発明の背景］
本発明の理解を助けるために、まず、本発明がなされるに至った背景を説明する。
装置試験システムは、一般的に試験の対象となる被試験装置が出力する信号を、測定装置により測定し、被試験装置の機能・性能などに関する複数の種類の試験を行う。
試験の対象となる被試験装置の測定に用いられる測定装置は、試験の種類ごとに異なるので、試験実施者は、実施する試験に応じて、必要な測定装置を選択し、選択した測定装置と被試験装置とを適切に接続する必要がある。
しかしながら、多くの種類の試験に用いられ得る測定装置は、数多く存在するので、試験実施者が、すべての測定装置から、試験に応じて適切な測定装置を選択し、被試験装置と接続することは困難なことがある。
また、試験実施者が、試験に用いられる被試験装置および測定装置の故障などの異常に気付かず、そのまま試験を行うと、正確な試験結果が得られないこともある。
以下に説明する装置試験システム１は、このような背景からなされたものであり、試験に用いられる装置の状態および接続態様を表示することにより、効率的に試験を実施することができるよう工夫されている。
【０００９】
［装置試験システム］
以下、本発明の実施形態として、装置試験システム１を説明する。
図１（Ａ）は、本発明に係る装置試験システム１（装置試験システム）の構成を示す図である。
図１（Ａ）に示すように、装置試験システム１は、制御装置１２と、ｎ個の測定装置１４−１〜１４−ｎ（ｎ≧１；ただし、全てのｎが常に同数を示すとは限らない）と、試験の対象となる被試験装置１８とが、ＬＡＮなどのネットワーク１０に接続され、ｎ個の測定装置１４−１〜１４−ｎと、被試験装置１８とが、切替装置１６を介して接続されて構成される。
【００１０】
被試験装置１８は、試験システム１において試験の対象となり得る複数の被試験装置のうちから選択される。
以下、試験の対象となり得る複数の被試験装置と、実際に試験の対象となる被試験装置１８とを区別せず、「被試験装置１８」と記述することがある。
なお、以下、測定装置１４−１〜１４−ｎなど、複数ある構成部分のいずれかを示すときは、単に、測定装置１４と記載することがある。
以下、各図において、実質的に同じ構成部分・処理には、同じ符号が付される。
装置試験システム１は、これらの構成部分を適切に用いて、被試験装置１８に対して様々な試験を行う。
【００１１】
［ハードウェア構成］
以下、図１（Ａ）に示した制御装置１２のハードウェア構成を説明する。
図１（Ｂ）は、制御装置１２のハードウェア構成を例示する図である。
図１（Ｂ）に示すように、制御装置１２は、メモリ１２２およびＣＰＵ１２４などを含む情報処理装置１２０、キーボードおよび表示装置などを含む外部入出力装置１２６、データ通信を行うための通信装置１２８、および、ハードディスクなどの記録媒体１３２に対してデータの記録を行う記録装置１３０などから構成される。
つまり、制御装置１２は、情報処理、装置試験システム１の各構成部分の制御、および、データ通信が可能なコンピュータとしての構成部分を有している。
【００１２】
［制御装置プログラム２２］
以下、装置試験システム１の制御装置１２（図１（Ａ），（Ｂ））上で実行される制御装置プログラム２２を説明する。
図２は、装置試験システム１の制御装置１２上で実行される制御装置プログラム２２を示す図である。
図２に示すように、制御装置プログラム２２は、ユーザインタフェース（ＵＩ）部２２０、装置情報データベース（ＤＢ）２２２、装置状態判定部２２４、装置状態ＤＢ２２６、接続情報ＤＢ２２８、接続情報更新部２３０、接続情報画面表示部２３２、接続情報取得部２３４、および、装置状態表示部２３６から構成される。
制御装置プログラム２２は、例えば、記憶媒体１３２（図１（Ｂ））を介して、制御装置１２のメモリ１２２にロードされ、制御装置１２にインストールされたＯＳ（図示せず）上で、制御装置１２のハードウェア資源を、具体的に利用して実行される。
制御装置プログラム２２は、測定装置１４および被試験装置１８の装置状態を判定し、判定結果、および、試験に用いられる測定装置１４および被試験装置１８の状態および接続態様を、試験実施者などに対して表示する。
なお、以下、測定装置１４および被試験装置１８を、「装置」と総称することがある。
【００１３】
ＵＩ部２２０は、外部入出力装置１２６（図１（Ｂ））を介して、後述する画面接続情報画面の表示命令や、装置状態画面の表示命令などを受け入れて、受け入れた命令が示す情報を制御装置プログラム２２の各構成部分に対して出力する。
また、ＵＩ部２２０は、制御装置プログラム２２の各構成部分から入力された画面情報を受け入れて、外部入出力装置１２６に画面を表示させる。
装置情報ＤＢ２２２は、装置試験システム１において実施可能な試験の対象となり得る被試験装置１８の装置名、および、各試験に用いられ得る測定装置１４の装置名などの装置情報を、装置状態判定部２２４および接続情報画面表示部２３２が参照可能に記憶する。
【００１４】
装置状態判定部２２４は、ＵＩ部２２０を介して入力された装置状態判定命令を受け取ると、装置情報ＤＢ２２２に記憶された装置名を参照して、装置状態判定部２２４が記憶する装置名に対応する各装置の状態を判定する（図５を参照して詳述）。
装置状態判定部２２４が記憶する装置名に対応する装置（以下、「判定対象装置」と記述する）は、様々な試験に用いられ得る各種汎用装置である。
つまり、装置情報ＤＢ２２２に記憶された、装置試験システム１において実施可能な試験に用いられる装置は、これらの汎用装置の一部である。
判定対象装置の状態は、例えば、以下の（１）〜（３）に示す３種類がある。
（１）判定対象装置の電源が正しく作動し、正常な状態（以下、単に「正常状態」と記述する）。
（２）判定対象装置の電源が正しく作動しない、または、判定対象装置が装置試験システム１に存在しない、異常な状態（以下、単に「異常状態」と記述する）。
（３）判定対象装置が、装置試験システム１の構成対象外である状態（以下、単に「対象外」と記述する）。
【００１５】
また、装置状態判定部２２４は、各判定対象装置の状態判定結果を示す装置状態情報を、装置状態ＤＢ２２６に対して出力する。
装置状態情報は、例えば、正常状態を"０"、異常状態を"１"、対象外を"２"のように、整数値のフラグにより示す。
装置状態ＤＢ２２６は、装置状態判定部２２４から入力された装置状態情報を受け取り、接続情報更新部２３０および装置状態表示部２３６が参照可能に記憶する。
接続情報ＤＢ２２８は、あらかじめ設定された接続情報を、接続情報取得部２３４が参照可能に記憶する。
【００１６】
接続情報は、例えば、被試験装置１８に対する試験を実施する際に用いられる装置およびケーブルの接続構成を示す接続画像、各装置の接続手順、各装置の操作手順、および、試験を実施する際の注意事項を示す。
また、接続情報は、例えば、被試験装置１８ごとにあらかじめファイル（ＲＴＦ形式など）に記述され、それぞれのファイルが、接続情報ＤＢ２２８に記憶される。
また、接続情報ＤＢ２２８は、後述する接続情報更新部２３０から入力された接続情報を受け取ると、記憶する記憶情報を、受け取った記憶情報に更新する。
接続情報更新部２３０は、装置状態ＤＢ２２６に記憶された装置状態情報を参照し、装置状態情報が更新されているか否かを、一定の間隔で判定する。
また、接続情報更新部２３０は、装置状態情報が更新されていると判定すると、装置状態ＤＢ２２６に記憶された装置状態情報に基づいて、接続情報ＤＢ２２８に記憶された接続情報を更新する。
【００１７】
具体的には、例えば、接続情報更新部２３０は、接続情報ＤＢ２２８に記憶された接続画像の各装置を示す部分を、それぞれの装置状態に基づいて色分けして、接続画像を更新する。
接続情報画面表示部２３２は、ＵＩ部２２０を介して入力された初期画面表示命令を受け取ると、装置情報ＤＢ２２２に記憶された被試験装置１８の装置名を参照して、装置接続情報画面の初期画面を生成し、ＵＩ部２２０を介して、生成した画面を外部入力装置１２６に表示させる。
装置接続情報画面の初期画面は、例えば、実施可能な試験の対象となる被試験装置１８の選択部や、接続情報を表示する接続情報表示部を含む（図３を参照して後述）が、接続情報表示部には、何も表示されていない。
また、接続情報画面表示部２３２は、ＵＩ部２２０を介して入力された被試験装置１８の装置名と、接続情報表示命令とを受け取る。
次に、接続情報画面表示部２３２は、接続情報取得部２３４に対して、ＵＩ部２２０を介して入力された被試験装置１８の装置名を出力するとともに、接続情報の取得を要求する。
【００１８】
また、接続情報画面表示部２３２は、接続情報取得部２３４から接続情報を受け取ると、ＵＩ部２２０を介して、受け取った接続情報を、装置接続情報画面の接続情報表示部に表示させる（図３を参照して後述）。
具体的には、例えば、接続情報画面表示部２３２は、受け取った接続情報ファイルに含まれる文書および画像などを読み込み、読み込んだ文書および画像などを表示させる。
接続情報取得部２３４は、接続情報画面表示部２３２から、接続情報の取得要求を受け取ると、接続情報画面表示部２３２から入力された被試験装置１８の装置名と、接続情報ＤＢ２２８に記憶された接続情報とを参照して、入力された被試験装置１８に対応する接続情報を取得する。
また、接続情報取得部２３４は、取得した接続情報を、接続情報画面表示部２３２に対して出力する。
装置状態表示部２３６は、ＵＩ部２２０を介して入力された装置状態画面表示命令を受け取ると、装置状態ＤＢ２２６に記憶された装置状態情報を参照して、各装置の状態を示す装置状態一覧画面（図４を参照して後述）を生成し、ＵＩ部２２０を介して、生成した画面を外部入力装置１２６に表示させる。
【００１９】
［装置接続情報画面］
以下、図２に示した接続情報画面表示部２３２が、入出力装置１２６（図１（Ｂ））に表示させる装置接続情報画面を説明する。
なお、以下、試験実施者や装置接続作業者など、外部から何らかの操作を行う者を「ユーザ」と記述する。
図３は、接続情報画面表示部２３２が、入出力装置１２６に表示させる装置接続情報画面を例示する図である。
図３に示すように、装置接続情報画面は、被試験装置表示部４００、被試験装置選択部４０２、被試験装置制御部４０４、接続情報表示部４０６から構成される。
【００２０】
被試験装置表示部４００は、試験の対象となり得る被試験装置１８の装置名および各被試験装置の電源状態などを示す。
例えば、図３に示すように、試験の対象となり得る被試験装置１８は、Ｕ／Ｖ、ＩＣＳ、ＨＦ、ＤＬという装置名であり、すべての被試験装置１８の電源が切断中である。
被試験装置選択部４０２は、試験の対象となる被試験装置１８を選択するためのボタンを含む。
【００２１】
例えば、図３に示すように、被試験装置１８のうち、試験の対象として、Ｕ／Ｖ装置を選択するときは、ユーザは、被試験装置選択部４０２の「Ｕ／Ｖ」と表示されたボタンを押下する。
「Ｕ／Ｖ」ボタンが押下されると、「Ｕ／Ｖ」装置に対応する接続情報が、後述する接続情報表示部４０６に表示される。
被試験装置制御部４０４は、後述する接続手順に従って被試験装置１８を制御するための制御ボタンを含む。
例えば、図３に示すように、接続情報表示部４０６に、「試験選択」ボタンを押下する旨が表示されていれば、ユーザは、被試験装置制御部４０４の「試験選択」と表示されたボタンを押下する。
【００２２】
接続情報表示部４０６は、被試験装置選択部４０２からユーザにより選択された被試験装置１８に対応する接続情報を示す。
例えば、図３に示すように、接続情報表示部４０６は、Ｕ／Ｖ装置に対する試験に用いられる装置の接続手順１〜５、および、取り外し手順を示す。
接続手順１〜５、および、取り外し手順には、それぞれ操作手順や、確認事項などが記載されている。
また、接続手順３には、Ｕ／Ｖ装置のコネクタＪ１〜Ｊ４と、Ｕ／Ｖ装置が接続される装置側のコネクタと、使用するケーブルＷ１１〜Ｗ１４との接続関係や、その関係を視覚的に示す接続画像４０８が表示されている。
【００２３】
例えば、接続画像４０８の各装置を示す部分が、接続情報更新部２３０（図２）による接続情報の更新により、それぞれの装置状態に基づいて色分けされているときは、接続手順３に、各装置を示す部分が色分けされた接続画像４０８を表示する。
例えば、図３に示すように、接続画像４０８のＵ／Ｖ装置を示す部分は、異常を示す細い斜線で塗りつぶされ、コネクタ接続パネルおよび信号切換器を示す部分は、正常を示す太い斜線で塗りつぶされる。
なお、図３では、各装置を示す部分を、細い斜線および太い斜線で塗りつぶしているが、赤や緑など、任意の色で色づけしてもよい。
また、接続手順５では、特に注意すべき事項を記載した部分が四角で囲まれて表示されている。
なお、図３では、特に注意すべき事項などを、四角で囲んで表示しているが、文字の色を変えたり、アンダーラインを付したりするなどの別の方法で表示してもよい。
【００２４】
［装置状態一覧画面］
以下、図２に示した装置状態表示部２３６が、入出力装置１２６（図１（Ｂ））に表示させる装置状態一覧画面を説明する。
図４は、装置状態表示部２３６が、入出力装置１２６に表示させる装置状態一覧画面を例示する図である。
図４に示すように、装置状態一覧画面は、各装置をブロックで表示し（ここでは、簡略化のため、一部の装置名を「********」と表記する）、装置状態情報に基づいて、各ブロックを予め定められたパターンで塗りつぶす。
【００２５】
例えば、図４に示すように、正常状態であるスペクトラム分析器およびデジタルオシロスコープ（１）などのブロックは、太い斜線により塗りつぶされる。
また、異常状態であるアッテポータ部および電力計（１）などのブロックは、細い斜線により塗りつぶされる。
また、対象外装置の複合機および信号発生器などのブロックは、格子により塗りつぶされる。
【００２６】
［装置状態判定部２２４の処理］
図５は、図２に示した装置状態判定部２２４の処理を示すフローチャートである。
以下、図５を参照して、装置状態判定部２２４の処理をさらに説明する。
上述したように、ＵＩ部２２０を介して入力された装置状態判定命令を受け取ることによって、装置状態判定部２２４の処理（Ｓ３０）が開始する。
処理が開始すると、図５に示すように、ステップ３００（Ｓ３００）において、装置状態判定部２２４は、装置試験システム１が有する装置名を、装置情報ＤＢ２２２（図２）から取得する。
【００２７】
ステップ３０２（Ｓ３０２）において、装置状態判定部２２４は、判定対象装置名が、Ｓ３００において取得した装置名の中に含まれているか否かを判定する。
含まれているときは、Ｓ３０４の処理に進み、それ以外のときは、Ｓ３１２の処理に進む。
ステップ３０４（Ｓ３０４）において、装置状態判定部２２４は、ネットワーク１０（図１（Ａ））を介して、判定対象装置にアクセスし、装置試験システム１上に存在するか否かを判定する。
【００２８】
存在するときは、Ｓ３０６の処理に進み、それ以外のときは、Ｓ３１０の処理に進む。
ステップ３０６（Ｓ３０６）において、装置状態判定部２２４は、ネットワーク１０を介して、判定対象装置に対して、電源投入命令を出力し、電源が正しく作動しているか否かを判定する。
正しく作動しているときは、Ｓ３０８の処理に進み、それ以外のときは、Ｓ３１０の処理に進む。
【００２９】
ステップ３０８（Ｓ３０８）において、装置状態判定部２２４は、判定対象装置の状態が正常である判定結果を、装置状態ＤＢ２２６に対して出力する。
ステップ３１０（Ｓ３１０）において、装置状態判定部２２４は、判定対象装置の状態が異常である判定結果を、装置状態ＤＢ２２６に対して出力する。
ステップ３１２（Ｓ３１２）において、装置状態判定部２２４は、判定対象装置の状態が対象外である判定結果を、装置状態ＤＢ２２６に対して出力する。
ステップ３１４（Ｓ３１４）において、装置状態判定部２２４は、すべての判定対象装置を判定済であるか否かを判定する。
判定済であるときは、処理が終了し、それ以外のときは、Ｓ３０２の処理に進む。
【００３０】
［装置試験システム１の全体動作例］
以下、装置試験システム１（図１（Ａ））の全体動作例を説明する。
制御装置１２は、コマンドライン入力や画面表示アイコンの起動などにより生成された装置状態画面表示命令を受け取ると、図４に示した装置状態一覧画面を表示する。
また、制御装置１２は、コマンドライン入力や画面表示アイコンの起動などにより生成された初期画面表示命令を受け取ると、装置接続情報画面の初期画面を表示する。
ユーザが、装置接続情報画面の初期画面に表示される被試験装置選択部４０２（図３）のボタンを押下して、被試験装置１８を選択すると、制御装置１２は、選択された被試験装置１８に対応する接続情報を、接続情報表示部４０６に表示する。
【００３１】
ユーザが、接続情報画面に表示される接続情報に従って、各装置の接続、各装置への操作などを行い、試験を開始させる。
具体的には、例えば、制御装置１２（図２）は、接続情報に従って接続された測定装置１４、被試験装置１８、および、切替装置１６をそれぞれ制御して、被試験装置１８から試験信号を出力させる。
被試験装置１８が試験信号を出力すると、切替装置１６は、出力された試験信号を制御して、測定装置１４に対して試験信号を出力する。
測定装置１４は、切替装置１６により制御された被試験装置１８からの試験信号を受信し、制御装置１２に対して出力する。
【符号の説明】
【００３２】
１・・・装置試験システム、１０・・・ネットワーク、１２・・・制御装置、１４・・・測定装置、１６・・・切替装置、１８・・・被試験装置、１２０・・・情報処理装置、１２２・・・メモリ、１２４・・・ＣＰＵ、１２６・・・外部入出力装置、１２８・・・通信装置、１３０・・・記録装置、１３２・・・記録媒体、２２・・・制御装置プログラム、２２０・・・ＵＩ部、２２２・・・装置情報ＤＢ、２２４・・・装置状態判定部、２２６・・・装置状態ＤＢ、２２８・・・接続情報ＤＢ、２３０・・・接続情報更新部、２３２・・・接続情報画面表示部、２３４・・・接続情報取得部、２３６・・・装置状態表示部、４００・・・被試験装置表示部、４０２・・・被試験装置選択部、４０４・・・被試験装置制御部、４０６・・・接続情報表示部、４０８・・・接続画像
【図１】
0005438417.tif 000002
【図２】
0005438417.tif 000003
【図３】
0005438417.tif 000004
【図４】
0005438417.tif 000005
【図５】
0005438417.tif 000006